(57)【要約】【課題】外観の統一感を損なわずに意匠性を高めることができ、且つ外部端子の使用時にカバーを外側へ出っ張らせずに筐体内部に収めることができ、操作性をも良好とし得る外部端子構造を提供する。【解決手段】外部端子６の周面を囲うようにカバー７’を一体に取り付けて外部端子ユニット９を形成し、筐体２内部に外部端子ユニット９を、外部端子６が筐体２内に格納され且つカバー７’が外部端子用開口１０を塞ぐように位置する格納位置と、外部端子６が外部端子用開口１０側に位置して露出される展開位置との間で切り換え可能となるよう、係合手段１１を介して回動自在に配設する。【選択図】図１
2005093219.tif 000002
【特許請求の範囲】
【請求項１】
外部端子の周面を囲うようにカバーを一体に取り付けて外部端子ユニットを形成し、筐体内部に外部端子ユニットを、外部端子が筐体内に格納され且つカバーが外部端子用開口を塞ぐように位置する格納位置と、外部端子が外部端子用開口側に位置して露出される展開位置との間で切り換え可能となるよう、係合手段を介して回動自在に配設したことを特徴とする外部端子構造。
【請求項２】
カバーの側面中心部に突設された回動軸と、
該回動軸を受けるよう筐体内部の支持壁に形成された軸受部と、
該軸受部を中心とする円弧形状となるよう前記支持壁に形成されたガイド溝と、
外部端子ユニットの回動時に前記ガイド溝に沿ってスライド自在となるようカバーの側面に突設された突片と、
外部端子ユニットが回動して格納位置或いは展開位置に切り換えられた際に前記突片が嵌入保持されるよう前記支持壁におけるガイド溝の両端に該ガイド溝より深く形成されたロック溝と
から係合手段を構成した請求項１記載の外部端子構造。
【請求項３】
カバーを筐体と同じ材質で形成した請求項１又は２記載の外部端子構造。
【請求項４】
外部端子がイヤホンジャックである請求項１〜３いずれかに記載の外部端子構造。 
【発明の詳細な説明】
【技術分野】
【０００１】
本発明は、携帯端末機器のイヤホンジャック等に適用される外部端子構造に関するものである。
【背景技術】
【０００２】
近年、携帯電話、ＰＨＳ（簡易型携帯電話）等の小型の携帯端末機器が急速に普及してきている。
【０００３】
図７は従来の携帯端末機器の一例を表わすものであって、１は携帯端末機器、２は携帯端末機器１の筐体であり、折畳式の携帯端末機器１は、筐体２を第一の筐体としての上部筐体２ａと第二の筐体としての下部筐体２ｂとに分割し、それらをヒンジ部３を介して開閉可能となるよう互いに回動自在に連結してなる構成を有している。
【０００４】
前記上部筐体２ａには、液晶ディスプレイ（ＬＣＤ：Ｌｉｑｕｉｄ  Ｃｒｙｓｔａｌ  Ｄｉｓｐｌａｙ）等の表示器４が設けられる一方、前記下部筐体２ｂには、多数のキー５が配置され且つバッテリー（図示せず）が内蔵されている。
【０００５】
前述の如き携帯端末機器１においては、上部筐体２ａと下部筐体２ｂのいずれか一方（図７の例では下部筐体２ｂ）の側面に、イヤホンジャック等の外部端子６が設けられるが、従来の場合、前記外部端子６を保護するカバー７は、弾性変形可能なゴム系のエラストマー等の材質で形成され、該カバー７が取り付けられた筐体２（下部筐体２ｂ）の所要箇所に、指の爪を入れてカバー７を開けるための凹部８が設けられたり、或いはカバー７自体の所要箇所に、指でつまめる凸部（図示せず）が設けられており、前記外部端子６の使用時には、カバー７を開けて撓ませた状態で、外部端子６にイヤホンプラグ等を差し込むようになっていた。
【０００６】
尚、図７に示されるような外部端子６を保護するカバー７が取り付けられた携帯端末機器を示すものとしては、例えば、特許文献１がある。
【特許文献１】特開２００２−１４１６７９号公報
【発明の開示】
【発明が解決しようとする課題】
【０００７】
しかしながら、前述の如く、外部端子６を保護するカバー７を弾性変形可能なゴム系のエラストマー等の材質で形成した場合、プラスチック製の筐体２との違いがはっきりと出てしまい、しかも、カバー７を開けるための凹部８や凸部が必要となり、外観の統一感が損なわれてしまう一方、外部端子６の使用時には、カバー７が撓んだ状態のまま外側へ出っ張るため、邪魔になるという不具合を有していた。
【０００８】
本発明は、斯かる実情に鑑み、外観の統一感を損なわずに意匠性を高めることができ、且つ外部端子の使用時にカバーを外側へ出っ張らせずに筐体内部に収めることができ、操作性をも良好とし得る外部端子構造を提供しようとするものである。
【課題を解決するための手段】
【０００９】
本発明は、外部端子の周面を囲うようにカバーを一体に取り付けて外部端子ユニットを形成し、筐体内部に外部端子ユニットを、外部端子が筐体内に格納され且つカバーが外部端子用開口を塞ぐように位置する格納位置と、外部端子が外部端子用開口側に位置して露出される展開位置との間で切り換え可能となるよう、係合手段を介して回動自在に配設したことを特徴とする外部端子構造にかかるものである。
【００１０】
前記外部端子構造においては、カバーの側面中心部に突設された回動軸と、
該回動軸を受けるよう筐体内部の支持壁に形成された軸受部と、
該軸受部を中心とする円弧形状となるよう前記支持壁に形成されたガイド溝と、
外部端子ユニットの回動時に前記ガイド溝に沿ってスライド自在となるようカバーの側面に突設された突片と、
外部端子ユニットが回動して格納位置或いは展開位置に切り換えられた際に前記突片が嵌入保持されるよう前記支持壁におけるガイド溝の両端に該ガイド溝より深く形成されたロック溝と
から係合手段を構成することができる。
【００１１】
又、前記外部端子構造においては、カバーを筐体と同じ材質で形成することができ、更に、外部端子はイヤホンジャックとすることができる。
【００１２】
上記手段によれば、以下のような作用が得られる。
【００１３】
前述の如く構成すると、外部端子を使用しない通常時には、外部端子ユニットは、外部端子が筐体内に格納され且つカバーが外部端子用開口を塞ぐように位置する格納位置に保持される一方、外部端子を使用する際には、外部端子ユニットを格納位置から回動させると、該外部端子ユニットは、外部端子が外部端子用開口側に位置して露出される展開位置に切り換えられ、このときカバーは筐体内に収まり、この状態で、外部端子にイヤホンプラグ等を差し込むことが可能となる。
【００１４】
この結果、従来のように、外部端子を保護するカバーを弾性変形可能なゴム系のエラストマー等の材質で形成するのとは異なり、外部端子用開口を塞ぐカバーを筐体と同じプラスチック等の材質で形成することができるため、材質面での違和感が全く出なくなり、しかも、カバーを開けるための凹部や凸部が不要となり、外観の統一感が損なわれてしまうことがなくなる一方、外部端子の使用時には、カバーは外側へ出っ張らずに筐体内部に収まるため、邪魔にもならない。
【発明の効果】
【００１５】
本発明の外部端子構造によれば、外観の統一感を損なわずに意匠性を高めることができ、且つ外部端子の使用時にカバーを外側へ出っ張らせずに筐体内部に収めることができ、操作性をも良好とし得るという優れた効果を奏し得る。
【発明を実施するための最良の形態】
【００１６】
以下、本発明の実施の形態を添付図面を参照して説明する。
【００１７】
図１〜図６は本発明を実施する形態の一例であって、図中、図７と同一の符号を付した部分は同一物を表わしており、外部端子６の周面を囲うようにカバー７’を一体に取り付けて外部端子ユニット９を形成し、筐体２内部に外部端子ユニット９を、外部端子６が筐体２内に格納され且つカバー７’が外部端子用開口１０を塞ぐように位置する格納位置と、外部端子６が外部端子用開口１０側に位置して露出される展開位置との間で切り換え可能となるよう、係合手段１１を介して回動自在に配設したものである。
【００１８】
前記外部端子ユニット９は、図２に示す如く、プリンティッド・ワイヤード・ボード（ＰＷＢ）等の基板１２にイヤホンジャック等の外部端子６を半田付けし、該基板１２に半田付けされた外部端子６に対し、筐体２と同じ材質でコの字状に形成したモールド品からなるカバー７’を一体に組み付けてなる構成を有している。
【００１９】
前記カバー７’の側面には、その中心部に回動軸１３を突設すると共に、該回動軸１３の中心から所要寸法（半径）Ｒだけ離れた位置に突片１４を突設し、又、前記筐体２内部に設けた支持壁１５には、図３〜図５に示す如く、前記回動軸１３を受けるようにしたＵ字状の軸受部１６と、該軸受部１６を中心とする半径Ｒの円弧形状で且つ前記突片１４がスライド自在に係合するガイド溝１７を形成し、該ガイド溝１７の両端には、図６に示す如く、前記外部端子ユニット９が回動して格納位置或いは展開位置に切り換えられた際に前記突片１４が嵌入保持されるロック溝１８を、ガイド溝１７より深く形成し、これらの回動軸１３、突片１４、軸受部１６、ガイド溝１７、及びロック溝１８から前記係合手段１１を構成してある。
【００２０】
次に、上記図示例の作用を説明する。
【００２１】
前述の如く構成すると、外部端子６を使用しない通常時には、図１（ａ）、図３（ａ）、図４（ａ）に示す如く、カバー７’の突片１４がガイド溝１７の一端側に形成されたロック溝１８に嵌入保持され、外部端子ユニット９は、外部端子６が筐体２内に格納され且つカバー７’が外部端子用開口１０を塞ぐように位置する格納位置に保持される。
【００２２】
一方、外部端子６を使用する際には、外部端子ユニット９を格納位置から回動軸１３を中心として回動させると、前記カバー７’の突片１４がガイド溝１７の一端側に形成されたロック溝１８から離脱して該ガイド溝１７に沿ってスライドし、図１（ｂ）、図３（ｂ）、図４（ｂ）に示す如く、ガイド溝１７の他端側に形成されたロック溝１８に嵌入保持される形となり、これにより、前記外部端子ユニット９は、外部端子６が外部端子用開口１０側に位置して露出される展開位置に切り換えられ、このときカバー７’は筐体２内に収まり、この状態で、外部端子６にイヤホンプラグ等を差し込むことが可能となる。
【００２３】
この結果、従来のように、外部端子６を保護するカバー７（図７参照）を弾性変形可能なゴム系のエラストマー等の材質で形成するのとは異なり、外部端子用開口を塞ぐカバー７’を筐体２と同じプラスチック等の材質で形成することができるため、材質面での違和感が全く出なくなり、しかも、カバー７を開けるための凹部８や凸部が不要となり、外観の統一感が損なわれてしまうことがなくなる一方、外部端子６の使用時には、カバー７’は外側へ出っ張らずに筐体２内部に収まるため、邪魔にもならない。
【００２４】
こうして、外観の統一感を損なわずに意匠性を高めることができ、且つ外部端子６の使用時にカバーを外側へ出っ張らせずに筐体２内部に収めることができ、操作性をも良好とし得る。
【００２５】
尚、本発明の外部端子構造は、上述の図示例にのみ限定されるものではなく、折畳式ではない携帯端末機器にも適用可能なこと、又、携帯端末機器以外の小型の機器にも適用可能なこと等、その他、本発明の要旨を逸脱しない範囲内において種々変更を加え得ることは勿論である。
【図面の簡単な説明】
【００２６】
【図１】本発明を実施する形態の一例の斜視図であって、（ａ）は外部端子ユニットが格納位置にある状態を示す斜視図、（ｂ）は外部端子ユニットが展開位置にある状態を示す斜視図である。
【図２】本発明を実施する形態の一例における外部端子ユニットの分解斜視図である。
【図３】本発明を実施する形態の一例の断面図であって、（ａ）は外部端子ユニットが格納位置にある状態を示す断面図、（ｂ）は外部端子ユニットが展開位置にある状態を示す断面図である。
【図４】本発明を実施する形態の一例の側面図であって、（ａ）は図３（ａ）のＩＶａ−ＩＶａ矢視相当図、（ｂ）は図３（ｂ）のＩＶｂ−ＩＶｂ矢視相当図である。
【図５】図４（ａ）のＶ−Ｖ矢視図である。
【図６】図５のＶＩ−ＶＩ矢視図である。
【図７】従来の携帯端末機器の一例を表わす斜視図である。
【符号の説明】
【００２７】
１    携帯端末機器
２    筐体
６    外部端子
７’  カバー
９    外部端子ユニット
１０    外部端子用開口
１１    係合手段
１３    回動軸
１４    突片
１５    支持壁
１６    軸受部
１７    ガイド溝
１８    ロック溝
【図１】
2005093219.tif 000003
【図２】
2005093219.tif 000004
【図３】
2005093219.tif 000005
【図４】
2005093219.tif 000006
【図５】
2005093219.tif 000007
【図６】
2005093219.tif 000008
【図７】
2005093219.tif 000009